(57)【要約】      （修正有）【課題】測定表示ユニットの端子と出力ケーブルとを接続する際に、作業工数の掛からない端子ブロックを提供する。【解決手段】計測表示ユニットの端子部と接続する端子ブロック１であって、前記端子部のピッチに対応する複数のピン４と、該複数のピン４と連設して設けられ端子のピッチより広幅のピッチからなる出線側端子３と、複数のピン４と出線側端子３を保持するブロック２から構成され、複数のピン４を前記計測表示ユニットの端子部に嵌入して接続する。計測表示ユニットの端子部のピッチより広幅のピッチからなる出線側端子３を有しているため、出力ケーブルを簡単に接続することができる。【選択図】図１
0003148101.tif 000002
【実用新案登録請求の範囲】
【請求項１】
計測表示ユニットの端子部と接続する端子ブロックであって、前記端子部のピッチに対応する複数のピンと、該複数のピンと連設して設けられ前記端子のピッチより広幅のピッチからなる出線側端子と、前記複数のピンと前記出線側端子を保持するブロックから構成され、当該複数のピンを前記計測表示ユニットの端子部に嵌入して接続することを特徴とする端子ブロック。
【請求項２】
計測表示ユニットの端子部と接続する端子ブロックであって、前記複数のピンは前記出線側端子に連設してブロック後端部より延出し、前記計測表示ユニットの端子部のピッチに対応するピッチとされ、側面視Ｌ字型に形成されることを特徴とする請求項１に記載の端子ブロック。
【考案の詳細な説明】
【技術分野】
【０００１】
本考案は、端子ブロックであって、とくに計測表示ユニットの端子部と接続し、ケーブル結線時の作業工数の掛からない端子ブロックに関するものである。
【背景技術】
【０００２】
近年、工場や事業所内において、消費電力量を継続的に測定しその測定データを使って省エネルギー化を促進する技術が採り入れられている。例えば、ブレーカに電力量や電圧などの測定ができる計測表示ユニット（ＭＤＵ）を使用して、測定したデータをパソコンによってデータ処理して最適な電力消費計画の策定がなされている。
【０００３】
この計測表示ユニットは、各種の配電盤のブレーカ等に取り付けられており、電力量や電圧などのデータをネットワークを介してサーバーに転送するための端子が設けられているが、ブレーカ等に取付けるためにコンパクトな設計となっているため、端子部もピッチの狭いものであった。そのため、端子にケーブルを接続する作業に時間が掛かり、また複数のケーブルを圧着して接続すると他のケーブルと短絡する虞があった。
【０００４】
そこで、ブレーカの端子台がブレーカの端子部に面する側のピッチとその反対側のピッチが異なるものとした端子台付きブレーカがある（特許文献１参照。）。また、配線用ブレーカの幅寸法と一致する幅寸法を有し、その入線側極間壁に固定用の孔を設けて端子ピッチを配線用ブレーカと一致させ、またその出線側の極間壁には固定用の孔をなくして端子ピッチを配線用ブレーカよりも拡大した配線用ブレーカ接続用端子台もある（特許文献２参照。）。
【０００５】
【特許文献１】実開平６−８８１１７号公報
【特許文献２】特開平８−１０２３４０号公報
【考案の開示】
【考案が解決しようとする課題】
【０００６】
しかしながら、上記特許文献１及び２に提案されている技術は、いずれもブレーカ（遮断器）の端子部の大きさを維持して端子の接属幅を変更するものであり、ブレーカ本体との接続に手間が掛かるものであった。また、現時点において測定表示ユニット（ＭＤＵ）の出力端子に取付けて使用する端子ブロック台はまだない。
【０００７】
上記の問題点に鑑み本考案者は、測定表示ユニットの端子と出力ケーブルとを接続する際に、作業工数の掛からない端子ブロックを提供するに至った。
【課題を解決するための手段】
【０００８】
このため、本発明の端子ブロックは、計測表示ユニットの端子部と接続する端子ブロックであって、前記端子部のピッチに対応する複数のピンと、該複数のピンと連設して設けられ前記端子のピッチより広幅のピッチからなる出線側端子と、前記複数のピンと前記出線側端子を保持するブロックから構成され、当該複数のピンを前記計測表示ユニットの端子部に嵌入して接続することを特徴とする。
【０００９】
また、前記複数のピンは前記出線側端子と連設してブロック後端部より延出し、前記計測表示ユニットの端子部のピッチに対応するピッチとされ、側面視Ｌ字型に形成されることを特徴とする。
【００１０】
そして、この端子ブロックは前記計測表示ユニットの端子部の下部に配置して、ピンを差込んで測定表示ユニットと一体となって使用される。
【考案の効果】
【００１１】
本考案に係る端子ブロックによれば、計測表示ユニットの端子部のピッチより広幅のピッチからなる出線側端子を有しているため、出力ケーブルを簡単に接続することができるという効果を有する。
【００１２】
しかも、端子ブロックのピンは前記出線側端子と連設してブロック後端部より延出し、前記計測表示ユニットの端子部のピッチに対応するピッチ、且つ側面視Ｌ字型に成形されているため、計測表示ユニットの端子部の下部から簡単に差込んで接続することができるという効果を有する。
【考案を実施するための最良の形態】
【００１３】
以下、本考案を実施例を示す図面を参照しながら説明するが、本考案が本実施例に限定されないことは言うまでもない。図１は、本考案の端子ブロックの一実施例を示す説明図、図２は本考案の端子ブロックの使用例を示す正面図、図３は図２の側面図である。尚、本実施例においては３端子の端子ブロックを例として説明する。
【実施例】
【００１４】
図１は本考案の端子ブロック１を示しており、（ａ）は平面図、（ｂ）は底面図、（ｃ）は側面図である。図に示すように端子ブロック１は、ポリカーボネート樹脂から形成されたブロック本体２と、３個の出線側端子３と、後述する計測表示ユニット側端子部と接続する３本のピン４とから構成されている。
【００１５】
出線側端子３はブロック本体２の一端側に極間壁５によって離間してそれぞれ配置され、その中心ピッチＰ２は、通常の端子のピッチである９．５ミリが採用される。そして、端子ねじ３ａの螺合によって出線用ケーブル(図示せず）を固定する。
【００１６】
ピン４は、出線側端子３と連設してブロック本体２の底面から延出し、上記端子３のピッチＰ２より狭いピッチＰ１に成形され、さらに側面視Ｌ字型に成形されている。尚、ピッチＰ１は後述する測定表示ユニットの端子部のピッチと同じ５．０ミリが採用される。
【００１７】
図２、図３は、本考案の端子ブロック１を測定表示ユニットの端子部６に取付けた状態を示している。図に示すように、測定表示ユニットの端子部６は、接続用孔部７が穿設されており、ピン４をこの接続用孔部７に挿入して端子ねじ６ａの螺合によって固定するものであり、予め端子部６のピッチＰ１に対応するピッチに形成されたピン４の配列をもつ端子ブロック１を、端子部６の下方から挿入して接続することができる。
【００１８】
上記の構成からなる、本考案の端子ブロックは、計測表示ユニットの端子部のピッチより広幅のピッチからなる出線側端子を有しているため、出力ケーブルを簡単に接続することができるができる。しかも、端子ブロックのピンは側面視Ｌ字型に成形されているため、計測表示ユニットの端子部の下部から簡単に差込んで接続することができる。尚、本実施例においては３個の端子の例を説明したが、端子の数は限定されない。
【００１９】
以上、本考案の端子ブロックによれば、測定表示ユニットの端子と出力ケーブルとを接続する際に、作業工数を掛けることなく接続できる。
【図面の簡単な説明】
【００２０】
【図１】本考案に係る端子ブロックの一実施例を示す説明図である。
【図２】本考案の端子ブロックの使用例を示す正面図である。
【図３】図２の側面図である。
【符号の説明】
【００２１】
１              端子ブロック
２              ブロック本体
３              出線側端子
３ａ、６ａ      端子ねじ
４              ピン
５              極間壁
６              端子部
７              接続用孔部
【図１】
0003148101.tif 000003
【図２】
0003148101.tif 000004
【図３】
0003148101.tif 000005